(57)【要約】【課題】接着層に対応する領域が、使用時に湾曲することなく所定の接着力を維持することが可能な付箋を提供する。【解決手段】紙片（２）が一方の面（３）の第一端部（７）側に接着部（４）を備え、第一端部（７）に対向する第二端部（８）側に非接着部（５）を備え、接着部（４）を同一方向にして複数の紙片（２）を積層してなる付箋（１）であって、接着部（４）が、第一端部（７）から遠ざかるにしたがって小さくなる接着力を備えている。【選択図】図２
2008119948.tif 000002
【特許請求の範囲】
【請求項１】
紙片が一方の面の第一端部側に接着部を備え、第一端部に対向する第二端部側に非接着部を備え、接着部を同一方向にして複数の紙片を積層してなる付箋であって、
接着部が、第一端部から遠ざかるにしたがって小さくなる接着力を備えてなる付箋。
【請求項２】
接着部が、第一端部において最大量の接着剤を備えてなり、第一端部から所定距離離れた位置までに漸次その量を減少させてなる請求項１記載の付箋。
【請求項３】
接着部が、ほぼ三角形からなる単位接着領域の複数を備えてなり、それぞれの単位接着領域は三角形の底辺を第一端部にほぼ一致させて整列され、その頂角を所定距離離れた位置に設定する請求項１又は２記載の付箋。
【請求項４】
接着部が、紙片の幅にほぼ等しい長さを有するほぼ長方形の単位接着領域の複数からなり、それぞれの単位接着領域は第一端部に平行に、かつ相互に離間して配置され、第一端部から遠ざかるにしたがってその幅が小さくなるものである請求項１又は２記載の付箋。
【請求項５】
接着部が、ほぼ相似形を有する複数の単位接着領域を相互に離間して備えてなり、大なる単位接着領域を第一端部近傍に配置し、その大なる単位接着領域より小なる単位接着領域を、小なるものほど第一端部から遠ざかる位置に配置する請求項１又は２記載の付箋。
【請求項６】
単位接着領域が円形である請求項５記載の付箋。
【請求項７】
接着部が、第二端部側から第一端部近傍にかけての接着力が一定寸法毎に弱から強になるよう接着剤を配置する領域を備える請求項１〜６のいずれかに記載の付箋。
【請求項８】
接着部が、第一端部に接して設けられる、紙片の生地が露出する非接着領域を備えてなる請求項１から７のいずれかに記載の付箋。
【請求項９】
紙片が一方の面の第一端部側に接着部を備え、第一端部に対向する第二端部側に非接着部を備え、接着部を同一方向にして複数の紙片を積層してなる付箋であって、
接着部が、ほぼ三角形からなる単位接着領域の複数を備えてなり、少なくとも一つの単位接着領域の三角形は、その高さを他の単位接着領域の三角形とは異にしてなり、それぞれの単位接着領域は三角形の底辺を第一端部側に整列させてなる付箋。
【請求項１０】
接着部が、第二端部側から第一端部近傍にかけての接着力が一定寸法毎に弱から強になる接着剤を配置する領域を備える請求項９記載の付箋。
【請求項１１】
接着部が、第一端部に接して設けられる、紙片の生地が露出する非接着領域を備えてなる請求項９又は１０記載の付箋。
【請求項１２】
紙片が一方の面の第一端部側に接着部を備え、第一端部に対向する第二端部側に非接着部を備え、接着部を同一方向にして複数の紙片を積層してなる付箋であって、
接着部が、第一端部と第二端部との間に接着力が最も大である接着領域を備え、その接着領域から遠ざかるにしたがって小さくなる接着力を備えてなる付箋。
【発明の詳細な説明】
【技術分野】
【０００１】
本発明は、書籍の特定のページの目印として、あるいは備忘録として用いられるなどする付箋に関するものである。
【背景技術】
【０００２】
従来、裏面に接着層を設けた紙片を複数枚重ね合わせて積層体とした付箋が知られている。このような付箋においては、それぞれの紙片を接着剤が施されていない非接着領域をつまみながら一枚ずつ剥がせるように、つまり接着層の紙片表面からの剥離性を向上させるために、その表面は剥離剤を塗布するなどして表面処理が施してあるものが一般的である。しかしながら、このような加工が施してあるにもかかわらず、剥がした紙片が接着層と非接着領域との境界の部分において、大きく湾曲して折り癖がつくことがある。この紙片の湾曲現象は、紙片を剥がす際に紙片の接着層に加わった力が接着層が発現する接着力に抗して紙片の当該接着層と非接着領域との境界の部分が湾曲し、その湾曲状態が接着層と非接着領域との境界の部分で維持されることで生じている。
【０００３】
このような不具合を解消するために、例えば、特許文献１に記載のものでは、接着層を紙片の横方向において分割し、接着層と紙片表面の露出部とを交互に配置した構成としている。このものでは、例えば、書籍のページに貼り付けた場合つまり使用時に、容易には剥がれないようにするために、接着層は縦方向に長くするものである。
【特許文献１】実公平３−２７８１６号公報
【発明の開示】
【発明が解決しようとする課題】
【０００４】
ところが、このような構成のものであると、接着層は横方向に不連続にしか存在しないため、使用時においては従来のものと比較して横方向における接着力が低下することがある。したがって、使用している最中に、付箋が貼り付けた部位から剥がれてしまう可能性が高くなった。
【０００５】
また、接着層は横方向に連続していないものの、剥がす方向に接着層が延びているために、同様に湾曲する場合がある。つまり、接着層の面積が減少して接着力も低下するものの、剥がす方向の接着力は接着層が延びている方向においてほぼ同じなために、接着層が設けられた紙片の端部領域においてそれぞれの接着層が紙片の湾曲を維持するように作用する。したがって、このような湾曲と接着力の低下とにより、使用時の不具合はさほど改善されるものではなかった。
【０００６】
そこで本発明は、このような不具合に鑑みて、接着層と非接着領域との境界の部分が使用時に湾曲することなく所定の接着力を維持することが可能な付箋を提供することを目的としている。
【課題を解決するための手段】
【０００７】
すなわち、本発明の付箋は、紙片が一方の面の第一端部側に接着部を備え、第一端部に対向する第二端部側に非接着部を備え、接着部を同一方向にして複数の紙片を積層してなる付箋であって、接着部が、第一端部から遠ざかるにしたがって小さくなる接着力を備えてなることを特徴とする。
【０００８】
このような構成によれば、紙片一枚を非接着部側からつまみ上げて積層されている複数の紙片から引き離す場合に、一枚の付箋は接着部の接着力が小さい領域から次第に大きい領域に向かって徐々に剥がれていく。したがって、非接着部から接着部に移行する際に大きな力が急激に紙片に加わることがなく、紙片を湾曲させる可能性が低下する。それゆえ、一枚の紙片が引き離された状態で、紙片が湾曲してその状態が維持されることを抑制し得る。
【０００９】
接着部の接着力を上述したように調整するためには、接着部が、第一端部において最大量の接着剤を備えてなり、第一端部から所定距離離れた位置までに漸次その量を減少させてなるものが挙げられる。
【００１０】
同様に、接着部の接着力を調整するためには、接着部の形状を次のようにするものが挙げられる。すなわち、
１．接着部が、ほぼ三角形からなる単位接着領域の複数を備えてなり、それぞれの単位接着領域は三角形の底辺を第一端部にほぼ一致させて整列され、その頂角を所定距離離れた位置に設定してなるもの、
２．接着部が、紙片の幅にほぼ等しい長さを有するほぼ長方形の単位接着領域の複数からなり、それぞれの単位接着領域は第一端部に平行に、かつ相互に離間して配置され、第一端部から遠ざかるにしたがってその幅が小さくなるもの、
３．接着部が、ほぼ相似形を有する複数の単位接着領域を相互に離間して備えてなり、大なる単位接着領域を第一端部近傍に配置し、その大なる単位接着領域より小なる単位接着領域を、小なるものほど端部から遠ざかる位置に配置してなるもの、
などである。
【００１１】
相似形を有する単位接着領域としては、具体的には、円形であるものが挙げられる。
【００１２】
さらには、上述した構成を有するものにおいて、接着部が、第一端部近傍における接着力を、非接着部近傍におけるより大で、かつ一定に設定してなるもの、また、接着部が、第一端部に接して設けられる、紙片の生地が露出する非接着領域を備えてなるものとしてもよい。
【００１３】
加えて、本発明の付箋は、紙片が一方の面の第一端部側に接着部を備え、第一端部に対向する第二端部側に非接着部を備え、接着部を同一方向にして複数の紙片を積層してなる付箋であって、接着部が、ほぼ三角形からなる単位接着領域の複数を備えてなり、少なくとも一つの単位接着領域の三角形は、その高さを他の単位接着領域の三角形とは異にしてなり、それぞれの単位接着領域は三角形の底辺を第一端部側に整列させてなるものであることを特徴とする。
【００１４】
このような構成にあって、接着部が、第二端部側から第一端部近傍にかけての接着力が一定寸法毎に弱から強になる接着剤を配置する領域を備えるもの、及び接着部が、第一端部に接して設けられる、紙片の生地が露出する非接着領域を備えてなるものが挙げられる。
【００１５】
さらに、本発明の付箋は、紙片が一方の面の第一端部側に接着部を備え、第一端部に対向する第二端部側に非接着部を備え、接着部を同一方向にして複数の紙片を積層してなる付箋であって、接着部が、第一端部と第二端部との間に接着力が最も大である接着領域を備え、その接着領域から遠ざかるにしたがって小さくなる接着力を備えてなることを特徴とする。
【００１６】
このような構成であれば、いずれの方向から紙片をはがそうとも、非接着部から接着部に移行する際に大きな力が急激に紙片に加わることがなく、紙片を湾曲させる可能性が低下させることが可能になる。それゆえ、一枚の紙片が引き離された状態で、紙片が湾曲してその状態が維持されることを抑制し得る。
【００１７】
なお、本発明における接着剤としては、剥離可能に接着剤付紙片を貼ることを可能にする粘着剤を含むものである。
【発明の効果】
【００１８】
本発明は、以上説明したような構成であり、接着部の接着力が非接着部に向かって漸次減少するように構成してあるので、束状に積層している付箋から一枚の紙片を剥がす際に一枚の紙片の接着層の部分に急激に紙片に応力がかかって湾曲する折り癖がつくことを抑制することができる。
【発明を実施するための最良の形態】
【００１９】
以下、本発明の実施例１〜４を、図面を参照して説明する。
【実施例１】
【００２０】
この実施例１の付箋１は、図１に示すように、ほぼ正方形をしている紙片２を複数枚積層させて形成してある。紙片２を積層したものを付箋１としているが、使用するに際してはそれぞれの紙片２自体が付箋である。そしてそれぞれの紙片２は、その一方の面である裏面３に接着部４と非接着部５とが設けてあるとともに、他方の面である表面６は、積層された紙片２をはがしやすくするために、コーティングが施してある。コーティング処理自体は、この分野でよく知られているものを適用するものであってよい。
【００２１】
接着部４は、図２に示すように、裏面３の第一端部７から、対向する第二端部８に向かって所定距離離れた位置まで形成されている。所定距離例えば、非接着部５の近傍までの距離に設定すればよい。接着部４は、裏面３の第一端部７側において接着剤９の塗布量が最大となっている。塗布量は、例えば、接着剤９の塗布厚みを厚くすることにより最大量としている。このように、接着剤９の塗布量を多くすることによりその領域にあっては容易に接着剤９が剥がれない状態を形成するもので、その結果、接着力を高くするものである。なお、接着力を調整する方法としては、接着剤９の塗布厚みを調整する以外に、接着剤９の非塗布面積に対する塗布面積の比率を調整することにより行うものであってもよい。この場合、接着力を高くする領域においては、単位となる領域における塗布面積の比率を高くし、徐々に塗布面積の比率を下げることにより接着力を減じるように調整するものである。
【００２２】
また非接着部５は、例えば、指をかけるのに十分な幅を有するものであればよい。
【００２３】
そして、このような構成の紙片２の複数を、接着部４を同一方向、例えば下側に向けた状態で積層して付箋１を形成するものである。すなわち、紙片２は、下になる紙片２の表面６に、それぞれの第一端部７を整列させた状態で接着部４を重ね合わせて積層する。したがって、それぞれの紙片２は、接着部４と表面６とが相互に接して積層されるので、接着部４の接着力より小さい外力により個別に剥がすことができる。これは、それぞれの紙片２の表面６がコーティング処理されているためである。
【００２４】
これに加えて、接着部４は非接着部５に近い領域ほど接着力が小さいので、小さな力で分離することができる。したがってこれらの領域では、紙片２を強く引き上げても発生する応力が小さく、紙片２が湾曲つまりカールすることが抑制される。しかもその後、接着部２の接着力が大きい領域が剥がされることになるが、この時点で既に大半の接着部４の領域は下側の紙片２から離れており、同様に発生する応力は小さい。この結果、全体として、接着部４が湾曲することをほぼ完全に抑制することができる。したがって、紙片２を他の紙、ファイルの表紙、机やテーブルなどの天板の表面などに貼り付けても、ほぼ全体を平坦な状態で紙片２を貼り付けることができる。またこのように紙片２全体が平坦であることにより、紙片２がカールされることに伴い、紙片２のうち平坦な状態にならずこのカールされた部分に浮き上がりが生じ、その浮き上がった部分にものや身体の一部などを引っかけることを回避して、破損したり剥がれ落ちることを良好に防止することができる。
【００２５】
なお、この実施例１においては、接着部４と非接着部５との境界を直線としたが、各種の波線であってもよい。
【実施例２】
【００２６】
この実施例２においては、図３に示すように、接着部１０４の接着力を、接着部１０４における接着剤９を塗布する領域と塗布しない領域との面積の比率により調整する構成である。なお、この実施例２において使用する紙片２の接着部１０４及び非接着部１０５の構成以外は、上述の実施例１と同様であり、同様の符号を付してその詳細な説明は割愛する。
【００２７】
具体的には、積層されるそれぞれの紙片２は、その裏面３に接着部１０４とそれに続く非接着部１０５とを備えている。非接着部１０５は、紙片２の裏面３の接着部１０４を除く領域に設定され、接着部１０４に連続するものである。
【００２８】
接着部１０４は、三角形からなる接着剤９の塗布された単位接着領域１１４の複数を備えてなる長方形形状をしている。それぞれの単位接着領域１１４は、その底辺１１４ａを第一端部７にほぼ一致させて整列させて接着部１０４の領域内に配置される。単位接着領域１１４を構成する三角形は二等辺三角形で、その底辺１１４ａは例えば、紙片２の幅つまり第一端部７の長さを八等分した長さである。また単位接着領域１１４の三角形の頂角１１４ｂは、第一端部７から所定距離離れた位置、つまり、非接着部１０５との境界線上に設定してある。この場合に、所定距離は、上述の実施例１のものと同じであってよい。そして接着剤９は、単位接着領域１１４にのみ塗布してある。したがって、接着部１０４は、接着剤９の塗布された八個の単位接着領域１１４と、単位接着領域１１４と同型で単位接着領域１１４の間に配置される非接着領域１１５とで構成される。非接着領域１１５は、非接着部１０５に連続する。
【００２９】
このような構成において、第一端部７に直交する方向における接着力を評価していくと、第一端部７の近傍においては単位接着領域１１４を構成する三角形の底辺１１４ａの近傍であるので、接着剤９が塗布された領域の面積が塗布されていない領域の面積に比較して広く、よって、接着力は大きい。これに対して、三角形の頂角１１４ｂの近傍においては、接着剤９が塗布された単位接着領域１１４の面積は先細りとなり、代わって塗布されていない非接着領域１１５の面積が増加ので、接着力は小さくなる。
【００３０】
このように、第一端部７に平行な横方向において、単位接着領域１１４と非接着領域１１５とが交互にその面積を変化させながら配置されるので、その面積比率に応じて接着力が調整される。つまり、この実施例２においても、第一端部７側において接着力は最も大きく、第二端部８に向かうにしたがって小さくなるものである。しかもこの実施例２では単位接着領域１１４を二等辺三角形としているので、単位接着領域１１４の合計面積と非接着領域１１５の合計面積とが等しく、しかも単位接着領域１１４の合計面積の変化は非接着領域１１５の合計面積の変化と反比例する。したがって、接着部１０４の接着力は、第一端部７から第二端部８に向かって直線的に変化、つまり、単位接着領域１１４の面積が小さくなり非接着領域１１５の面積が大きくなるにつれて徐々に小さくなるものである。
【００３１】
以上の構成であるので、この実施例２は、上述した実施例１と同じ効果を奏するものである。加えて、接着部１０４は、接着剤９の塗布量を調整するのではなく、塗布する領域と塗布しない領域との形状により接着力を調整するので、製造を容易にすることができる。
【００３２】
なお、この実施例２においては、二等辺三角形の単位接着領域１１４を説明したが、必ずしも二等辺三角形に限るものではない。すなわち、頂角部分１１４ｃは必ずしも二直線が交差して形成されるものでなくとも、曲線により丸くなっているものであってよい（図４）。また、頂角１１４ｂを形成する二辺についても、必ずしも直線である必要はなく、直線に近い曲線や全体として直線的なジグザグ状の線であってもよい。
【実施例３】
【００３３】
この実施例３は、実施例２と同様に、図５における接着部２０４の接着力を、接着部２０４における接着剤９を塗布する領域と塗布しない領域との面積の比率により調整する構成である。なお、この実施例３において使用する紙片２の接着部２０４及び非接着部２０５の構成以外は、上述の実施例１と同様であり、同様の符号を付してその詳細な説明は割愛する。
【００３４】
具体的には、積層されるそれぞれの紙片２は、図５に示すように、その裏面３に接着部２０４とそれに続く非接着部２０５とを備えている。接着部２０４は、紙片２の第一端部７に接して形成され、非接着部２０５は第二端部８に接して形成される。非接着部２０５は、紙片２の裏面３の接着部２０４を除く領域に設定され、接着部２０４の第一端部７とは反対側の境界から第二端部８までである。
【００３５】
接着部２０４は、紙片２の幅にほぼ等しい長さを有する長方形の接着剤９の塗布された単位接着領域２１４の複数を備えてなる長方形形状をしている。この実施例３では、四本の単位接着領域２１４と、それぞれの単位接着領域２１４の間に配置される接着剤９の塗布されていない非接着領域２１５とで接着部２０４が構成される。それぞれの単位接着領域２１４は、相互にその幅寸法が異なるものであり、非接着領域２１５は同じ幅寸法である。単位接着領域２１４は、第一端部７に接触するものが最も幅広で、第一端部７から遠ざかるにしたがって、幅を狭くするものである。
【００３６】
このような構成において、第一端部７に直交する方向つまり第一端部７から第二端部８に至る方向における接着力を評価していくと、第一端部７の近傍においては単位接着領域２１４の幅寸法が大きいため、接着剤９の塗布量が多く、よって接着力が大きい。一方、第一端部７から最も遠い位置に形成されて非接着部２０５に接触する単位接着領域２１４は、その幅寸法が他に比較して小さいので、接着剤９の塗布量は少なく、よって接着力は小さくなる。
【００３７】
このように、単位接着領域２１４と非接着領域２１５とが交互に配置され、単位接着領域２１４がその幅寸法を変化させながら配置されるので、実施例２と同様に、単位接着領域２１４と非接着領域２１５との面積比率に応じて接着力が調整される。つまり、この実施例３においても、第一端部７側において接着力は最も大きく、第二端部８に向かうにしたがって小さくなるものである。
【００３８】
以上の構成であるので、この実施例３は、上述した実施例１と同じ効果を奏するものである。加えて、接着部２０４は、接着剤９の塗布量を調整するのではなく、塗布する領域と塗布しない領域との形状により接着力を調整するので、製造を容易にすることができる。
【００３９】
なお、この実施例３においては、単位接着領域２１４間の非接着領域２１５の幅をそれぞれ等しいものとしたが、図６に示すように、単位接着領域２１４の幅が小さくなるほど非接着領域２２５の幅を小さくするものであってもよい。また、この実施例３では、単位接着領域２１４の形状を長方形としたが、平行な、波線、ジグザグな線、方形波線などにより囲まれる帯状もしくは短冊状のほぼ長方形形状であってもよい。
【実施例４】
【００４０】
この実施例４においても、実施例２と同様に、図７における接着部３０４の接着力を、接着部３０４における接着剤９を塗布する領域と塗布しない領域との面積の比率により調整するものである。なお、この実施例４において使用する紙片２の接着部３０４及び非接着部３０５の構成以外は、上述の実施例１と同様であり、同様の符号を付してその詳細な説明は割愛する。
【００４１】
この実施例４では、図７に示すように、相似形を有し、相互に離間して設けられる複数の円形の単位接着領域３１４とその間に存在する非接着領域３１５とにより接着部３０４が構成される。そしてこのような接着部３０４に対して、接着剤９の塗布されていない非接着部３０５が連続するものである。非接着部３０５は、接着部３０４の非接着領域３１５に連続している。
【００４２】
接着部３０４において、その第一端部７側に、最も直径が大きい円形の単位接着領域３１４が配置され、第一端部７から遠ざかるにしたがって円形の直径を小さくした単位接着領域３１４が配置される。この実施例４においては、同一の直径を有する単位接着領域３１４を、紙片２の横方向に整列させている。そして、異なる直径の単位接着領域３１４同士は、所定の間隔をあけて配置するものである。所定の間隔は、接着部３０４の接着力に関係するので、接着部３０４に存在する単位接着領域３１４全ての合計面積とそれ以外の面積との比率に基づいて設定するものである。この場合に、所定の間隔は、その間隔に関連する単位接着領域３１４同士の直径の比に応じて、柔軟に複数を設定するものであってよい。
【００４３】
このような構成によれば、第一端部７側では単位接着領域３１４の直径が大きいので、接着力が大きく、第一端部７から遠ざかるにしたがって単位接着領域３１４の直径が小さくなるので、それに応じて接着力は漸次小さくなる。それゆえ、上述した実施例１と同じ効果を奏するものである。
【００４４】
なお、この実施例４においては、単位接着領域３１４それぞれを離間した状態を維持して規則的に配置したが、例えば、図８に示すように、任意に配置するものであってもよい。この場合、第一端部７に接近する程単位接着領域３１４を密に、遠ざかるほど疎に配置するものである。
【００４５】
また、この実施例４においては、単位接着領域３１４は、ほぼ相似形を有する形状であれば円形に限られるものではなく、基本の図形が例えば、三角形、五角形、六角形などの多角形、楕円形、長円形、閉曲線で形成される図形など、各種の形状を適用することができる。単位接着領域３１４は完全な相似形を備える必要はなく、基本となる図形に対して拡大した図形及び縮小した図形の関係にあるものであれば、若干の相違は無視してもよい。この場合において、第一端部７側に配置される単位接着領域３１４が最も大きく、言い換えれば最も広い面積を有するものであり、第一端部７から遠ざかるにしたがってその大きさすなわち面積を小さくするものである。
【実施例５】
【００４６】
この実施例５は、実施例４と同様に、接着部４０４が円形の単位接着領域４１４と、非接着領域４１５を備えるもので、第一端部７近傍における接着力が、非接着部４０５近傍における接着力より大で、かつ一定に設定される構成である。具体的には、接着力は、単位接着領域４１４の大きさと密度とにより調整されるものである。
【００４７】
接着部４０４の第一端部７近傍にあっては、図９に示すように、接着部４０４に配置される単位接着領域４１４のうち最も直径が大きいものを配置する。この場合に、接着力を他の部分より大きくするために、最大径の単位接着領域４１４を、例えば第一端部７から第二端部８に向かって二段に配置している。これにより、この第一端部７近傍の部分（第一部分４０４ａと称する）において、接着剤９の塗布面積が他の部分より大きくなり接着力が最大になる。また、単位接着領域４１４をこのように二段に配置することにより、第一端部７から単位接着領域４１４の直径の約二倍の幅は、接着力が一定になるものである。
【００４８】
そしてこの第一端部７近傍の第一部分４０４ａに続く、第一部分４０４ａより接着力の小なる第二部分４０４ｂは、第一部分４０４ａに含まれる単位接着領域４１４より小さな、つまり面積の狭い単位接着領域４１４により構成される。さらに、この第二部分４０４ｂに連続して第二端部８に近づくに応じて、単位接着領域４１４をより小さくして、第二端部８に接近するにしたがって接着力を低減させるように、単位接着領域４１４の大きさと個数とを設定する。
【００４９】
このように、第一端部７近傍の第一部分４０４ａにおいて、他の部分より接着力が大である部分を形成することにより、使用時の剥がれ落ちを有効に防止することができる。
【００５０】
なお、単位接着領域４１４の形状は、円形に限定されるものではなく、ほぼ相似形を有する形状であれば、基本の図形が、例えば、三角形、五角形、六角形などの多角形、楕円形、長円形、閉曲線で形成される図形など、各種の形状を適用することができる。
【実施例６】
【００５１】
実施例６は、実施例３における単位接着領域２１４と同型の単位接着領域５１４を複数備えるとともに、単位接着領域５１４に塗布される接着剤の接着力を調整する構成である。
【００５２】
具体的には、接着部５０４を、図１０に示すように、ほぼ同一の大きさ（幅）の単位接着領域５１４を離間することなく設定し、第一端部７側の単位接着領域５１４に接着力が接着部５０４内において最大の接着剤９を塗布する。次に、その第一端部７側の単位接着領域５１４に連続する単位接着領域５１４には、第一端部７側の単位接着領域５１４の接着剤より接着力の低い接着剤を塗布する。同様にして、第二端部８に近い単位接着領域５１４ほど接着力を小さくした接着剤９を塗布し、非接着部５０５に接する単位接着領域５１４に最も接着力の小さい接着剤９を塗布するものである。つまり、言い換えれば、紙片２を、剥がす方向に一致して、第二端部８側から第一端部７近傍にかけての接着力が一定寸法毎に弱から強になるよう接着剤９を配置する領域を、紙片２が備えるものとなる。
【００５３】
したがって、接着部５０４は、単位接着領域５１４毎に接着力が変化するものであり、第一端部７から第二端部８に向かってステップ状に接着力が小さくなるものである。
【００５４】
このように接着剤９の接着力を段階的あるいは連続的に変えることにより、実施例１と同じ効果を奏するものである。
【００５５】
なお、このような単位接着５１４の配置において、第一端部７から二番目の単位接着領域５１４の接着剤９の接着力を、接着部５０４の中で最大にして、その二番目の単位接着領域５１４から第二端部８にかけてのそれぞれの単位接着領域５１４は、その二番目の単位接着領域５１４から遠ざかるにしたがって小さくなる接着力の接着剤９を塗布する。そして、第一端部７に最も近い、つまり第一端部７から一番目の単位接着領域５１４の接着剤９の接着力を、その領域内において、第一端部７に近づくにしたがって弱く（小さく）する構成であってもよい。
【００５６】
このように構成することにより、紙片２をはがし終える直前に、第一端部７側において紙片２が湾曲することを有効に防止することができる。
【実施例７】
【００５７】
実施例７は、実施例２と同様に、単位接着領域６１４を三角形とするものであるが、実施例２とは異なり、全ての単位接着領域６１４が同じ三角形からなるものではない。
【００５８】
すなわち、この実施例７では、図１１に示すように、単位接着領域６１４は二等辺三角形ではあるが、その高さが異なるものである。具体的には、隣接する単位接着領域６１４の三角形は、その高さが相互に異なっている。したがって、単位接着領域６１４のそれぞれの頂角６１４ｂの位置、つまり第一端部７からの距離が異なるものである。
【００５９】
このように、単位接着領域６１４の非接着部６０５と接する位置が、第二端部８に対して平行な一本の直線上に整列するのではなく、そのような直線に対してばらつくことにより、接着部６０４と非接着部６０５との境界における接着力の変化をより精密に調整することができる。
【００６０】
この実施例７においては、それぞれの単位接着領域６１４を形成している三角形の底辺が第一端部７に接していない例を説明したが、それぞれの単位接着領域６１４の頂角６１４ｂの第一端部７からの距離が異なっているものであれば、実施例７の構成に限定されるものではない。
【００６１】
なお、本発明は、上記各実施例に限定されるものではない。
【００６２】
実施例５や実施例６のもののように、第一端部７側に接着力の強い部分を設定するものにあっては、例えば、図１２に示す実施例６の変形例のように、第一端部７と単位接着領域５１４との間に紙片２の生地が露出する、言い換えれば接着剤９を塗布しない無接着剤領域５１９を設けるものであってもよい。
【００６３】
また、上記実施例２〜４では、単位接着領域の合計面積と非接着領域の面積との比率により接着部の接着力を調整したが、実施例１の構成をそれぞれの単位接着領域に適用するものであってもよい。つまり、第一端部７側の単位接着領域に塗布する接着剤量を多くし、第二端部８に向かうにしたがってその量を低減するものである。
【００６４】
その他、各部の具体的構成についても上記実施形態に限られるものではなく、本発明の趣旨を逸脱しない範囲で種々変形が可能である。
【図面の簡単な説明】
【００６５】
【図１】本発明の実施例１の斜視図。
【図２】同実施例１の断面図。
【図３】同実施例２の裏面を示す平面図。
【図４】同実施例２の変形例を示す図３相当図。
【図５】同実施例３の裏面を示す平面図。
【図６】同実施例３の変形例を示す図５相当図。
【図７】同実施例４の裏面を示す平面図。
【図８】同実施例４の変形例を示す図７相当図。
【図９】同実施例５の裏面を示す平面図。
【図１０】同実施例６の裏面を示す平面図。
【図１１】同実施例７の裏面を示す平面図。
【図１２】同実施例５の変形例を示す図９相当図。
【符号の説明】
【００６６】
１…付箋
２…紙片
３…裏面
４…接着部
５…非接着部
７…第一端部
８…第二端部
【図１】
2008119948.tif 000003
【図２】
2008119948.tif 000004
【図３】
2008119948.tif 000005
【図４】
2008119948.tif 000006
【図５】
2008119948.tif 000007
【図６】
2008119948.tif 000008
【図７】
2008119948.tif 000009
【図８】
2008119948.tif 000010
【図９】
2008119948.tif 000011
【図１０】
2008119948.tif 000012
【図１１】
2008119948.tif 000013
【図１２】
2008119948.tif 000014